(57)【要約】【課題】  表示部の表示形態を一旦、切り換えた後、その表示部が以後、誤操作によって切り換わることが防止できるようにする。【解決手段】  切換えスイッチ１０によって表示部の文字を日本語又は英語に切り換える。切換えスイッチ１０を電池蓋１３で覆われた電池収納部１１に配置する。これにより、切換えスイッチ１０を操作するには電池蓋１３を開いて操作する必要があり、リモコン装置を操作する際、誤って切換えスイッチ１０を操作する心配がなく、不用意に表示部に使用する言語が切り換わることがない。【選択図】      図４
2007005861.tif 000002
【特許請求の範囲】
【請求項１】
操作ボタンと、電源として着脱可能な電池と、前記操作ボタンに対応して少なくとも異なる２つの表示形態を備えた表示部と、この表示部を切り換え表示するための切換えスイッチとを備え、機器の使用に際して前記切換えスイッチによって前記表示部を切り換えるように構成したリモコン装置において、前記切換えスイッチが電池を収納する電池収納部の内部に配置され、その切換えスイッチが前記電池収納部を開閉する電池蓋で覆われていることを特徴とするリモコン装置。
【請求項２】
前記切換えスイッチを前記電池収納部に収納した電池の裏側に配置したことを特徴とする請求項１記載のリモコン装置。
【請求項３】
前記表示部が異なる言語で形成され、機器の使用に際して前記切換えスイッチによって前記表示部で使用する言語を切り換えるように構成したことを特徴とする請求項１又は２記載のリモコン装置。
【請求項４】
前記異なる表示部に対応して、そのそれぞれの表示部を照明する光源を備え、この光源を前記切換えスイッチで切り換えることによって、前記表示部で使用する言語を切り換えるように構成したことを特徴とする請求項３記載のリモコン装置。
【発明の詳細な説明】
【技術分野】
【０００１】
本発明は、リモコン装置の操作ボタンに対応して異なる表示形態の表示部を形成し、この表示部の表示形態を切換えスイッチによって選択的に切り換えるように構成したリモコン装置に関する。
【背景技術】
【０００２】
例えばテレビジョン受像機やＤＶＤプレーヤなどを操作するリモコン装置において、任意の操作ボタンにはその操作ボタンに対応した表示部、例えば操作ボタンの機能を示す表示部が形成されているが、国内向けだけではなく複数の国に輸出する場合、それぞれ国別毎に異なる言語によって操作ボタンの機能などを表示する場合がある。このように操作ボタンの表示部を異なる言語で形成した場合、機器の使用に際し、最初に使用言語を選択する必要がある。このような使用言語の切換え機能を有する従来技術として例えば特許文献１では、ロボットの教示装置において、操作パネルに必要な情報を表示する表示部と、キー入力を行うためのキー操作部とを備え、操作パネルに設け言語切換キーを操作することによって表示部の表示に使用される言語が切り換えるように構成している。また、特許文献２では、オーディオ、ビデオ機器などに使用されるリモコンにおいて、リモコンに形成されるボタンに対して複数の機能を表示した複数のシートを摺動自在に配置し、このシートをリモコンに設けたツマミでスライドさせることによって、ボタンの表示を切り換えるとともに、そのシートの表示を光学的に読み取り、シートの表示内容に対応したリモコン信号を出力するように構成している。
【０００３】
また、特許文献３では、リモコン本体に開閉自在な蓋を設けるとともに、蓋の裏面側に蓋の開閉状態を検出する蓋開閉スイッチを設け、蓋の開閉動作に連動して蓋開閉スイッチによりリモコン本体に設けた操作ボタンの機能や表示部における表示内容の数を自動的に切換えるとともに、蓋を破損してしまった場合、蓋を閉めた状態の機能を維持するために、蓋の裏面側であって本体の外部から直接操作できない位置に、前記蓋開閉スイッチと同じ機能を有する機能切換スイッチを設け、蓋が破損した場合でも操作ボタンの切換機能に支障が起きないように構成した空気調和機等のリモコン装置が開示されている。
【０００４】
【特許文献１】特開２００１−８８０６９号公報
【特許文献２】特開平６−８６３７４号公報
【特許文献３】特開２００３−６１１７０号公報
【発明の開示】
【発明が解決しようとする課題】
【０００５】
特許文献１では、操作パネルに設けた言語切換キーによって表示部の表示に使用される言語の切り換えができるものであるが、このような表示部における言語の切換操作は、頻繁に行う必要はなく、最初に表示部の言語を選択すれば、それ以後、切り換える必要性は低い。しかし、特許文献１では言語切換キーを操作パネルに露出して他の操作キーとともに配列することから、誤って言語切換キーを操作するなど誤操作し易いばかりでなく、使用頻度の低い言語切換キーを配置するスペースも必要であるため、例えば、テレビジョン受像機やＤＶＤプレーヤ、オーディオ、ビデオ機器などのＡＶ機器に使用されるリモコン装置においては、リモコン装置のコンパクト化の妨げとなる。また、特許文献２で示すリモコン装置は、リモコンに形成されるボタンに対して複数の機能表示した複数のシートを摺動自在に配置し、このシートをリモコンの側部に設けたツマミによって操作ボタンの機能を切り換えるものであって、前述したように表示部における言語を切り換えるものでないが、ツマミがリモコン装置の外部に取り付けられており、前述した特許文献１と同様、リモコン操作の際、ツマミを誤操作し易いという課題を有している。
【０００６】
また、特許文献３で開示されるリモコン装置は、蓋開閉と連動する蓋開閉スイッチにより、リモコン本体に設けた操作ボタンの機能や表示部における表示内容の数を自動的に切換えるように構成するとともに、蓋が壊れた際、蓋開閉スイッチが機能しなくなるため、蓋開閉スイッチと同じ機能を有する機能切換スイッチを蓋の裏面側に設けており、これらの操作ボタンの機能や表示部における表示内容の数を切り換える蓋開閉スイッチや機能切換スイッチは直接外部に露出しない。このため、言語切換キーやツマミが外部に露出するように設けられた特許文献１、２の構造に比べ、誤操作という点では起こりにくい。しかし、特許文献３で開示されるリモコン装置は、蓋開閉と連動させて操作ボタンの機能などを切り換えることから、蓋を開閉すれば操作ボタンの機能が自動的に切り換わることから、特許文献１に開示される操作ボタンなどの表示部で使用される言語の切り換える言語切換キーには用いることが不可能である。すなわち、特許文献３で開示されるリモコン装置では、蓋開閉時に、その動作と連動して表示部で使用される言語が切り換ってしまう。また、その蓋開閉スイッチは蓋の開閉を検知することから、機能的に蓋の裏面側に設けているに過ぎず、誤操作の防止を目的とするものではない。
【０００７】
本発明は上記課題を鑑みてなされたものであり、手動操作により複数ある操作ボタンの表示部を一旦、切り換えた後、その表示部が以後、誤操作によって切り換わることが防止することができるリモコン装置を提供することを目的とする。
【課題を解決するための手段】
【０００８】
請求項１に係るリモコン装置は、操作ボタンと、電源として着脱可能な電池と、前記操作ボタンに対応して少なくとも異なる２つの表示形態を備えた表示部と、この表示部を切り換え表示するための切換えスイッチとを備え、機器の使用に際して前記切換えスイッチによって前記表示部を切り換えるように構成したリモコン装置において、前記切換えスイッチが電池を収納する電池収納部の内部に配置され、その切換えスイッチが前記電池収納部を開閉する電池蓋で覆われていることを特徴とする。
【０００９】
請求項１の構成により、リモコン装置の使用に際し、先ず、切換えスイッチによって操作ボタンの表示形態を選択する。切換えスイッチは、電池蓋を開いて操作する必要があり、通常、電池蓋で覆われて外部から直接、操作できない部分に配置されている。このため、リモコン装置を操作する際、誤って切換えスイッチを操作する心配がなく、不用意に操作ボタンの表示形態が切り換わることがない。
【００１０】
請求項２に係るリモコン装置は、請求項１記載のリモコン装置において、前記切換えスイッチを前記電池収納部に収納した電池の裏側に配置したことを特徴とする。
【００１１】
請求項２の構成により、切換えスイッチによって操作ボタンの表示形態を選択する際、切換えスイッチを操作するには、電池蓋を開き、さらに、電池収納部から電池蓋を抜き取ることによって切換えスイッチが外部に露出し、操作可能となる。このように、切換えスイッチが外部に露出させて操作ボタンの表示形態を選択する。
【００１２】
請求項３に係るリモコン装置は、請求項１又は２記載のリモコン装置において、前記表示部が異なる言語で形成され、機器の使用に際して前記切換えスイッチによって前記表示部で使用する言語を切り換えるように構成したことを特徴とする。
【００１３】
請求項３の構成により、リモコン装置の使用に際し、先ず、切換えスイッチによって操作ボタンで使用される言語を選択する。このような操作ボタンで使用される言語の切り換えは、最初にリモコン装置を使用する際、使用言語を切り換えた以降は、切り換える必要はなく、むしろ、通常のリモコン操作の際、不用意に切り換わることのほうが支障は大きいが、切換えスイッチが外部から直接、操作できない部分に配置されているため、誤って切換えスイッチを操作する心配がなく、不用意に操作ボタンの表示形態が切り換わることがない。
【００１４】
請求項４に係るリモコン装置は、請求項３記載のリモコン装置において、前記異なる表示部に対応して、そのそれぞれの表示部を照明する光源を備え、この光源を前記切換えスイッチで切り換えることによって、前記表示部で使用する言語を切り換えるように構成したことを特徴とする。
【００１５】
請求項４の構成により、切換えスイッチによって表示部を照明する光源の点灯を選択することで、操作ボタンの機能を表す表示形態が切り換わる。
【発明の効果】
【００１６】
請求項１に係るリモコン装置によれば、操作ボタンと、電源として着脱可能な電池と、前記操作ボタンに対応して少なくとも異なる２つの表示形態を備えた表示部と、この表示部を切り換え表示するための切換えスイッチとを備え、機器の使用に際して前記切換えスイッチによって前記表示部を切り換えるように構成したリモコン装置において、前記切換えスイッチが電池を収納する電池収納部の内部に配置され、その切換えスイッチが前記電池収納部を開閉する電池蓋で覆われていることにより、切換えスイッチを操作する際、電池蓋を開いて操作する必要があり、通常、電池蓋で覆われて外部から直接、操作できないため、リモコン装置を操作する際、誤って切換えスイッチを操作する心配がなく、不用意に操作ボタンの表示形態が切り換わることがない。したがって、切換えスイッチの誤操作を確実に防止することができるとともに、リモコン装置前面に配置するボタンの数を減らすことができる。
【００１７】
請求項２に係るリモコン装置によれば、請求項１記載のリモコン装置において、前記切換えスイッチを前記電池収納部に収納した電池の裏側に配置したことにより、切換えスイッチを操作するには、電池蓋を開き、さらに、電池収納部から電池を抜き取る必要があるため、切換えスイッチの誤操作を防止することができる。
【００１８】
請求項３に係るリモコン装置によれば、請求項１又は２記載のリモコン装置において、前記表示部が異なる言語で形成され、機器の使用に際して前記切換えスイッチによって前記表示部で使用する言語を切り換えるように構成したことにより、操作ボタンで使用される言語の切り換えは、最初にリモコン装置を使用する際、切り換えた以降は、切り換える必要はなく、むしろ、通常のリモコン操作の際、不用意に切り換わることのほうが支障は大きいが、切換えスイッチが外部から直接、操作できない部分に配置されているため、切換えスイッチの誤操作を防止することができる。
【００１９】
請求項４に係るリモコン装置によれば、請求項３記載のリモコン装置において、前記異なる表示部に対応して、そのそれぞれの表示部を照明する光源を備え、この光源を前記切換えスイッチで切り換えることによって、前記表示部で使用する言語を切り換えるように構成したことにより、表示部を透過照明することで表示部の視認性を高めることができる。
【発明を実施するための最良の形態】
【００２０】
以下、本発明を実施するための最良の形態としての実施例を図１〜図４を参照して説明する。もちろん、本発明は、その発明の趣旨に反さない範囲で、実施例において説明した以外のものに対しても容易に適用可能なことは説明を要するまでもない。
【実施例１】
【００２１】
図１は実施例１のリモートコントローラ装置（以下、単にリモコン装置と称す）に設けた操作ボタンを示す正面図、図２は図１のＡ−Ａ線断面図、図３は電池収納部の正面図、図４は電池収納部の断面図である。同図において、１は例えば、ＤＶＤプレーヤ等のリモコン装置のケースであり、このケース１の前面には、ＤＶＤプレーヤを操作する操作ボタンとして例えば停止ボタン２ａ、再生ボタン２ｂ、一時停止ボタン２ｃが配列されている。これら各ボタン２ａ〜２ｃを押すことによって、各ボタン２ａ〜２ｃに対応してケース１内に設けたスイッチ７を押圧操作し、図示しないＤＶＤプレーヤにリモコン信号が出力される。また、前記ケース１の前面には、前記各ボタン２ａ〜２ｃの上下にそれぞれの機能を表す日本語用の表示部３ａ〜３ｃと英語用の表示部４ａ〜４ｃが形成され、その日本語用の表示部３ａ〜３ｃは各ボタン２ａ〜２ｃの機能を表示する「停止」「再生」「一時停止」と表記され、一方、英語用の表示部４ａ〜４ｃは「ＳＴＯＰ」「ＰＬＡＹ」「ＰＡＵＳＥ」と表記される。これらの表示部３ａ〜３ｃ又は表示部４ａ〜４ｃは、ケース１の内部に設けた光源としてのＬＥＤ（Ｌｉｇｈｔ  Ｅｍｉｔｔｉｎｇ  Ｄｉｏｄｅ）５を点灯させることによって表示窓６に日本語用の表示部３ａ〜３ｃ又は英語用の表示部４ａ〜４ｃの文字を透過照明することによって表示される。なお、図１では日本語用の表示部３ａ〜３ｃを表示した場合を示している。
【００２２】
１０は前記ＬＥＤ５の点灯を制御する切換えスイッチであり、この切換えスイッチ１０によって表示部３ａ〜３ｃ又は表示部４ａ〜４ｃの何れかを透過照明するＬＥＤ５を点灯させることによって、表示部３ａ〜３ｃによる日本語の表記又は表示部４ａ〜４ｃによる英語の表記に切り換えるようにしている。図３に示すように、言語を切り換えるための切換えスイッチ１０は、ケース１の裏面側に形成する電池収納部１１内に配置されている。電池収納部１１はリモコン装置の電源となる電池１２が収納され、電池蓋１３によって覆われている。電池収納部１１には、この電池収納部１１に隣接してケース１の裏面側から段差状に凹設した段差凹部１４が形成され、その段差凹部１４に前記切換えスイッチ１０が配置されている。すなわち、表示部３ａ〜３ｃ又は表示部４ａ〜４ｃの言語を切り換える切換えスイッチ１０は電池収納部１１に収納した電池１２と共に前記電池蓋１３によって覆われた位置に設けられている。
【００２３】
以上のように構成される本実施例によれば、リモコン装置の使用に際し、先ず、各ボタン２ａ〜２ｃの機能を表す文字を選択する。すなわち、切換えスイッチ１０によって表示部３ａ〜３ｃ又は表示部４ａ〜４ｃを透過照明するＬＥＤ５の点灯を選択することで、表示部３ａ〜３ｃ又は表示部４ａ〜４ｃを透過照明する何れかのＬＥＤ５が点灯させ、各ボタン２ａ〜２ｃの機能を表す文字を日本語又は英語に切り換えるようにしている。なお、図１においては、表示部３ａ〜３ｃを透過照明するＬＥＤ５を点灯させて日本語を選択した場合を示している。このように言語を切換えスイッチ１０は、電池蓋１３を開いて操作する必要があり、通常、電池蓋１３で覆われてケース１の外部から直接、操作できない部分に配置されている。このため、リモコン装置を操作する際、誤って切換えスイッチ１０を操作する心配がなく、不用意にリモコン装置に使用する言語が切り換わることがない。したがって、通常のリモコン操作の際に機能を表す文字を日本語又は英語に切り換えるための切換えスイッチ１０の誤操作を確実に防止することができるとともに、リモコン装置前面に配置するボタンの数を減らすことができる。
【実施例２】
【００２４】
図５及び図６は本発明の実施例２を示し、図５は電池収納部の正面図、図６は電池収納部の断面図である。また、実施例２において、前記実施例１と同一機能を有する部分には同一符号を付し、前記実施例１と共通する部分の説明を省略し、異なる部分についてのみ説明する。
【００２５】
前記実施例１においては、切換えスイッチ１０を電池収納部１１に隣接した段差凹部１４に配置した例を示したが、本実施例においては、切換えスイッチ１０が電池収納部１１の収納された電池１２の裏側に配置されている。したがって、本実施例においては、電池蓋１３を開いても切換えスイッチ１０は電池１２で隠れて外部に露出しない。このため、切換えスイッチ１０を操作するには、電池蓋１３を開き、さらに、電池収納部１１から電池１２を抜き取る必要があるため、より一層、切換えスイッチ１０の誤操作を防止することができる。
【００２６】
以上、本発明の実施例について詳述したが、本発明は、前記実施例に限定されるものではく、本発明の要旨の範囲内で種々の変形実施が可能である。例えば、前記各実施例では、表示部の表示形態として文字で表した場合を示したが、文字以外でも記号やマークなどの表示形態としてもよい。さらに、表示部の表示形態の切り換えとしてＬＥＤによる表示部の照明によって切り換えた場合を示したが、必ずしもこれに限定されるものではない。
【図面の簡単な説明】
【００２７】
【図１】本発明の実施例１におけるリモコン装置に設けた操作ボタンを示す正面図である。
【図２】同上、図１のＡ−Ａ線断面図である。
【図３】同上、電池収納部の正面図である。
【図４】同上、電池収納部の断面図である。
【図５】同上、本発明の実施例２における電池収納部の正面図である。
【図６】同上、電池収納部の断面図である。
【符号の説明】
【００２８】
２ａ    停止ボタン（操作ボタン）
２ｂ    再生ボタン（操作ボタン）
２ｃ    一時停止ボタン（操作ボタン）
３ａ，３ｂ，３ｃ    日本語用表示部
４ａ，４ｂ，４ｃ    英語用表示部
５    ＬＥＤ（光源）
１０    切り換えスイッチ
１１    電池収納部
１２    電池
１３    電池蓋
【図１】
2007005861.tif 000003
【図２】
2007005861.tif 000004
【図３】
2007005861.tif 000005
【図４】
2007005861.tif 000006
【図５】
2007005861.tif 000007
【図６】
2007005861.tif 000008